(57)【特許請求の範囲】
【請求項１】
複数のレンズを保持し、側面に周方向に延びる第１のスリットと、前記第１のスリットと対向する第２のスリットと、を有する一つのレンズ鏡筒と、
それぞれの開口部を重ね両者間に羽根室を構成し、前記開口部が前記レンズの間に配置され、一部が前記第１のスリットから突出する一対の地板と、
前記羽根室内に配置され、往復作動させられて前記開口部に進退する羽根と、
前記一対の地板の前記第１のスリットから突出した前記一部を保持し、前記羽根を往復作動させる羽根駆動部と、
前記レンズ鏡筒を光軸方向にスライドできるように保持する外枠と、
前記レンズ鏡筒を光軸方向に移動させる鏡筒駆動部と、
を備え、
全てのレンズは、一つの前記レンズ鏡筒に固定され、
前記一対の地板の前記羽根駆動部に固定された前記一部から遠い部分が、前記第２のスリットに保持され、
前記鏡筒駆動部は、前記レンズ鏡筒の前記第２のスリットを覆うように固定されたマグネットと、前記外枠に固定され、前記マグネットを光軸方向に移動させる磁界を発生させる駆動コイルと、を有し、
前記外枠と前記レンズ鏡筒とには、光軸方向にスライドするように、それぞれ光軸方向に延びる溝を有する一対の摺動部が設けられ、前記外枠に設けられた摺動部と前記レンズ鏡筒に設けられた摺動部との間にベアリングが配置されている、
ことを特徴とするレンズユニット。
【請求項２】
前記外枠と前記羽根駆動部とを蛇行形状を有している板バネで電気的に接続した、
ことを特徴とする請求項１に記載のレンズユニット。
【請求項３】
前記羽根駆動部が、電磁アクチュエータの部品が配置された駆動部ベースと、前記電磁アクチュエータの前記部品を前記駆動部ベースに固定させる駆動部カバーとから構成され、
前記一対の地板の前記一部が前記駆動部ベースと前記駆動部カバーとに挟持される、
ことを特徴とする請求項１または２に記載のレンズユニット。
【請求項４】
前記羽根は、絞り羽根から構成される、
ことを特徴とする請求項１から３の何れか１項に記載のレンズユニット。
【請求項５】
前記羽根は、光の透過を遮る遮光羽根から構成される、
ことを特徴とする請求項１から３の何れか１項に記載のレンズユニット。
【請求項６】
前記羽根は、光学フィルタを有する羽根から構成される、
ことを特徴とする請求項１から３の何れか１項に記載のレンズユニット。
【請求項７】
請求項１から６の何れか１項に記載のレンズユニットと、
前記レンズ鏡筒に設けられた前記レンズにより撮像面に被写体像が結像される撮像部と、
を備えることを特徴とするカメラ。
【請求項８】
請求項７に記載のカメラを備える、
ことを特徴とする電子機器。
【請求項９】
側面に周方向の第１のスリットと、前記第１のスリットと対向する第２のスリットと、を有するレンズ鏡筒を一体成型する第１工程と、
一体成型された前記レンズ鏡筒に複数の全てのレンズを取り付ける第２工程と、
開口部が前記レンズの間に配置され、一部が前記第１のスリットから突出する地板と、往復作動させられて前記開口部に進退する羽根と、前記地板の前記第１のスリットから突出した前記一部を保持し、前記羽根を往復作動させる羽根駆動部と、を有する絞りユニットを組み立てる第３工程と、
前記複数の全てのレンズが取り付けられた前記レンズ鏡筒の前記第１のスリットに前記絞りユニットの前記地板を差し込んで、前記地板の前記羽根駆動部に固定された前記一部から遠い部分が、前記第２のスリットに保持されるように、前記絞りユニットを前記レンズ鏡筒に取り付ける第４工程と、
前記レンズ鏡筒の前記第２のスリットを覆うようにマグネットを取り付け、前記マグネットを光軸方向に移動させる磁界を発生させる駆動コイルを外枠に取り付け、前記レンズ鏡筒に設けられた前記光軸方向に延びる溝を有する一対の摺動部と、前記外枠に設けられた前記光軸方向に延びる溝を有する一対の摺動部と、の間にベアリングを配置し、前記絞りユニットが取り付けられた前記レンズ鏡筒と、前記レンズ鏡筒を光軸方向に移動させる鏡筒駆動部と、を前記外枠に取り付ける第５工程と、
を備えることを特徴とするレンズユニット組立方法。
【請求項１０】
請求項９に記載のレンズユニット組立方法で組み立てられたレンズユニットに、前記レンズ鏡筒に設けられた前記レンズにより被写体像が結像される位置に撮像部を取り付ける工程を備える、
ことを特徴とするカメラの製造方法。
【請求項１１】
請求項１０に記載のカメラの製造方法で製造されたカメラを電子機器に取り付ける工程を備える、
ことを特徴とする電子機器の製造方法。
【発明の詳細な説明】
【技術分野】
【０００１】
本発明は、例えば、レンズユニット、カメラ、電子機器、レンズユニット組立方法、カメラの製造方法および電子機器の製造方法に関する。
【背景技術】
【０００２】
例えば、スマートフォンなどの電子機器は、カメラを備えているものがある。例えば、特許文献１には、携帯端末に搭載される撮像装置（カメラ）が開示されている。この撮像装置は、基板と、撮像素子と、光学部材（レンズ）から構成され、被写体光束を遮蔽するシャッタを備え、シャッタを駆動する駆動部の少なくとも一部が、光学部材の脚部の間に配置されている。
【０００３】
特許文献１のカメラに限らず、スマートフォンに備えられるカメラは、スマートフォンの厚みに収まるように、光軸方向の長さがスマートフォンの厚みより短く設計されている。また、スマートフォンは、様々なニーズから（例えば、容易に持ち運ぶことできるようにするなど）、より薄型のものが求められている。スマートフォンがより薄くなるに伴い、カメラも光軸方向の長さがより短いものが求められている。また、撮像した画像の質を向上させるために、カメラが、焦点を自動で調整する自動焦点機能やレンズを透過する光量を調整する絞り羽根などを備えることも要求されている。
【先行技術文献】
【特許文献】
【０００４】
【特許文献１】特開２００４−３０９９５４号公報
【発明の概要】
【発明が解決しようとする課題】
【０００５】
特許文献１の撮像装置は、シャッタを駆動する駆動部が光学部材を固定する脚部の間に配置されるため、光学部材を光軸方向に移動させることできず、自動焦点機能を付加することができない。また、撮像装置に絞り羽根を付加する場合、絞り羽根はレンズ間に設けられる必要があるため、レンズの前にシャッタ羽根が配置されている特許文献１の撮像装置のシャッタ羽根を絞り羽根に置き換えることは困難であるという問題がある。
【０００６】
また、シャッタ羽根や絞り羽根、および自動焦点機能を備え、光軸方向の長さがより短いカメラを得るために、このカメラを構成するレンズユニットも、レンズ間に羽根を進退させ、レンズを光軸方向に駆動でき、光軸方向の長さがより短いものが求められている。
【０００７】
本発明は、このような実情に鑑みてなされたものであり、レンズ間に進退する羽根を備え、レンズを光軸方向に駆動でき、光軸方向の長さがより短いレンズユニット、カメラ、電子機器、レンズユニット組立方法、カメラの製造方法および電子機器の製造方法を提供することを目的とする。
【課題を解決するための手段】
【０００８】
上記目的を達成するため、本発明の第１の観点に係るレンズユニットは、
複数のレンズを保持し、側面に周方向に延びる第１のスリットと、前記第１のスリットと対向する第２のスリットと、を有する一つのレンズ鏡筒と、
それぞれの開口部を重ね両者間に羽根室を構成し、前記開口部が前記レンズの間に配置され、一部が前記第１のスリットから突出する一対の地板と、
前記羽根室内に配置され、往復作動させられて前記開口部に進退する羽根と、
前記一対の地板の前記第１のスリットから突出した前記一部を保持し、前記羽根を往復作動させる羽根駆動部と、
前記レンズ鏡筒を光軸方向にスライドできるように保持する外枠と、
前記レンズ鏡筒を光軸方向に移動させる鏡筒駆動部と、
を備え、
全てのレンズは、一つの前記レンズ鏡筒に固定され、
前記一対の地板の前記羽根駆動部に固定された前記一部から遠い部分が、前記第２のスリットに保持され、
前記鏡筒駆動部は、前記レンズ鏡筒の前記第２のスリットを覆うように固定されたマグネットと、前記外枠に固定され、前記マグネットを光軸方向に移動させる磁界を発生させる駆動コイルと、を有し、
前記外枠と前記レンズ鏡筒とには、光軸方向にスライドするように、それぞれ光軸方向に延びる溝を有する一対の摺動部が設けられ、前記外枠に設けられた摺動部と前記レンズ鏡筒に設けられた摺動部との間にベアリングが配置されている。
【０００９】
このようにすることで、レンズユニットは、羽根が配置される羽根室を構成する地板が前記第１のスリットに挿入されレンズ間に配置されることで、進退する羽根を備えることができる。また、レンズ間の間隔が狭くても地板を配置できるため、地板が配置されるレンズ間の間隔を狭く設計することが可能となり光軸方向の長さを短縮できる。また、レンズユニットは、鏡筒駆動部がレンズ鏡筒を駆動することにより、自動焦点機能を備える。また、前記第１のスリットと対向する第２のスリットを備え、前記一対の地板の前記羽根駆動部に固定された前記一部から遠い部分が、前記第２のスリットに保持されることで、一対の地板が所定位置からずれにくくなる。また、一対の地板とレンズとが接触することを防止できる。
【００１０】
例えば、前記外枠と前記羽根駆動部とを蛇行形状を有している板バネで電気的に接続してもよい。
このようにすることで、レンズ鏡筒が光軸方向に駆動されるときの負荷を小さくできるため、レンズ鏡筒がスムーズに駆動され、焦点を迅速に合わせることができる。また、電気的に接続される部分にかかる力を小さくできるため光軸が傾くことを防止できる。
【００１２】
例えば、前記羽根駆動部が、電磁アクチュエータの部品が配置された駆動部ベースと、前記電磁アクチュエータの前記部品を前記駆動部ベースに固定させる駆動部カバーとから構成され、
前記一対の地板の前記一部が前記駆動部ベースと前記駆動部カバーとに保持されてもよい。
このようにすることで、一対の地板が羽根駆動部に安定して固定され、また、一対の地板と羽根駆動部とを容易に組み立てることができる。
【００１３】
例えば、前記羽根は、絞り羽根から構成されてもよい。
このようにすることで、レンズユニットに絞り機能を付加することができる。
【００１４】
例えば、前記羽根は、光の透過を遮る遮光羽根から構成されてもよい。
このようにすることで、レンズユニットにシャッタ機能を付加することができる。
【００１５】
例えば、前記羽根は、光学フィルタを有する羽根から構成されてもよい。
このようにすることで、レンズユニットに光学ＮＤ（Neutral Density）フィルタなどのフィルタの機能を付加することができる。
【００１６】
上記目的を達成するため、本発明の第２の観点に係るカメラは、
前記レンズユニットと、
前記レンズ鏡筒に設けられた前記レンズにより撮像面に被写体像が結像される撮像部と、を備える。
【００１７】
上記目的を達成するため、本発明の第３の観点に係る電子機器は、
前記カメラを備える。
上記目的を達成するため、本発明の第４の観点に係るレンズユニット組立方法は、
側面に周方向の第１のスリットと、前記第１のスリットと対向する第２のスリットと、を有するレンズ鏡筒を一体成型する第１工程と、
一体成型された前記レンズ鏡筒に複数の全てのレンズを取り付ける第２工程と、
開口部が前記レンズの間に配置され、一部が前記第１のスリットから突出する地板と、往復作動させられて前記開口部に進退する羽根と、前記地板の前記第１のスリットから突出した前記一部を保持し、前記羽根を往復作動させる羽根駆動部と、を有する絞りユニットを組み立てる第３工程と、
前記複数の全てのレンズが取り付けられた前記レンズ鏡筒の前記第１のスリットに前記絞りユニットの前記地板を差し込んで、前記地板の前記羽根駆動部に固定された前記一部から遠い部分が、前記第２のスリットに保持されるように、前記絞りユニットを前記レンズ鏡筒に取り付ける第４工程と、
前記レンズ鏡筒の前記第２のスリットを覆うようにマグネットを取り付け、前記マグネットを光軸方向に移動させる磁界を発生させる駆動コイルを外枠に取り付け、前記レンズ鏡筒に設けられた前記光軸方向に延びる溝を有する一対の摺動部と、前記外枠に設けられた前記光軸方向に延びる溝を有する一対の摺動部と、の間にベアリングを配置し、前記絞りユニットが取り付けられた前記レンズ鏡筒と、前記レンズ鏡筒を光軸方向に移動させる鏡筒駆動部と、を前記外枠に取り付ける第５工程と、
を備える。
上記目的を達成するため、本発明の第５の観点に係るカメラの製造方法は、
前記レンズユニット組立方法で組み立てられたレンズユニットに、前記レンズ鏡筒に設けられた前記レンズにより被写体像が結像される位置に撮像部を取り付ける工程を備える。
上記目的を達成するため、本発明の第６の観点に係る電子機器の製造方法は、
前記カメラの製造方法で製造されたカメラを電子機器に取り付ける工程を備える。
【発明の効果】
【００１８】
本発明によれば、レンズ間に進退する羽根を備え、レンズを光軸方向に駆動でき、光軸方向の長さがより短いレンズユニット、カメラ、電子機器、レンズユニット組立方法、カメラの製造方法および電子機器の製造方法を提供することが可能となる。
【図面の簡単な説明】
【００１９】
【図１】（Ａ）は、実施の形態に係るカメラを示す図であり、（Ｂ）は、実施の形態に係るカメラを示す正面図である。
【図２】図１（Ｂ）のＡ−Ａ断面図である。
【図３】実施の形態に係るレンズユニットを示す分解図である。
【図４】（Ａ）は、実施の形態に係るレンズ鏡筒の上面図であり、（Ｂ）は、実施の形態に係るレンズ鏡筒の正面図であり、（Ｃ）は、実施の形態に係るレンズ鏡筒の底面図であり、（Ｄ）は、図４（Ｂ）のＢ−Ｂ断面図である。
【図５】実施の形態に係る羽根駆動部、地板および絞り羽根を示す分解図である。
【図６】実施の形態に係るレンズ鏡筒および羽根駆動部を示す図である。
【図７】実施の形態に係るカメラを備えるスマートフォンのブロック図である。
【図８】実施の形態に係る絞り羽根の動作を示す図である。
【図９】実施の形態に係る絞り羽根の動作を示す図である。
【図１０】（Ａ）〜（Ｃ）は、実施の形態に係るレンズ鏡筒と外枠との電気的結合の変形例を示す図である。
【発明を実施するための形態】
【００２０】
以下、本発明を実施するための形態に係るレンズユニットを、カメラに使用されるレンズユニットを例に図面を参照しながら詳細に説明する。
【００２１】
（実施の形態）
本発明の実施の形態に係るカメラ１０１は、図１および図２に示すように、撮像部１０２（図２のみ図示）と、レンズユニット１０３と、を備える。カメラ１０１は、スマートフォンなどの電子機器に内蔵されるものである。
【００２２】
撮像部１０２は、レンズユニット１０３に設けられたレンズ１０４により撮像面に結像された被写体像を電気信号に変換する。撮像部１０２は、ＣＭＯＳ（Complementary Metal Oxide Semiconductor）型イメージセンサ等の撮像素子から構成される。
【００２３】
レンズユニット１０３は、図２および図３に示すように、レンズ１０４を保持するレンズ鏡筒１１と、地板１２（１２Ａ、１２Ｂ）（地板１２Ｂは図２のみ図示）と、絞り羽根１３と、羽根駆動部１４と、外枠１５と、鏡筒駆動部１６と、板バネ１８（１８Ａ、１８Ｂ）と、を備える。なお、地板１２と、絞り羽根１３と、羽根駆動部１４と、は絞りユニット２０を構成する。
【００２４】
レンズ鏡筒１１は、図２に示すように、複数のレンズ１０４を保持する鏡筒であり、図４に示すように、側面に周方向に設けられた第１のスリット１７Ａと、第１のスリット１７Ａと対向する第２のスリット１７Ｂと、結合部１９Ａと、を有する。第１のスリット１７Ａは、地板１２をレンズ鏡筒１１内からレンズ鏡筒１１外に挿通させるためのものである。第２のスリット１７Ｂは、地板１２の先２１を保持させるものである。結合部１９Ａは、羽根駆動部１４をレンズ鏡筒１１に結合させるものである。
【００２５】
図２に戻って、地板１２は、羽根室２３を構成するものであり、開口部２２がレンズ１０４の間に配置されるように設けられている。地板１２の一部は、第１のスリット１７Ａからレンズ鏡筒１１外に突出し、羽根駆動部１４に固定されている。また、地板１２の先２１は、第２のスリット１７Ｂに保持されている。地板１２Ａ、１２Ｂは、図５に示すように、光非透過性の樹脂部材から構成され、円形の開口部２２（２２Ａ、２２Ｂ）を備える。それぞれの開口部２２を重ね両者間に羽根室２３を構成する。また、地板１２は、重ねると空間ができるように縁にスペーサー２４が設けられている。
【００２６】
図２に戻って、絞り羽根１３は、羽根室２３内に配置され、往復動作させられて開口部２２に進退する羽根であり、光非透過性のシート状部材から構成されている。また、絞り羽根１３は、図５に示すように、絞り用開口部２５を備え、その根本部に孔２６を備える。後述する駆動部ベース３１に垂設された支点ピン３８が孔２６に挿通され、絞り羽根１３は、支点ピン３８を支点として揺動可能となっている。また、絞り羽根１３の根本部の近傍には、後述する駆動ピン３６が貫通する孔２７が設けられる。
【００２７】
羽根駆動部１４は、絞り羽根１３を往復作動させるものであり、駆動部ベース３１と、駆動部カバー３２と、コイル３３と、ヨーク３４と、回転子３５と、駆動ピン３６と、を備える。なお、コイル３３、ヨーク３４および回転子３５は、電磁アクチュエータを構成する。駆動部ベース３１は、コイル３３、ヨーク３４、回転子３５等の部品を所定位置に配置するベースである。駆動部ベース３１は、貫通孔が設けられた筒状のボビン部を備え、このボビン部にコイル３３が巻回されている。ヨーク３４は、二つの脚部を有し、それらの先端を磁極部としている。そして、ヨーク３４の片方の脚部が、ボビン部に設けられた貫通孔に挿入され固定されている。回転子３５は、円筒の形状を有し、径方向に２極に着磁された磁石から構成され、ヨーク３４の脚部に挟まれた位置に配置され、駆動部ベース３１に垂設された回転ピン３７に軸止されている。駆動ピン３６は、回転子３５に設けられたアームの先に取り付けられ、上述した孔２７に挿通する。また、駆動部ベース３１には、上述した孔２６に挿通する支点ピン３８が垂設されている。また、駆動部ベース３１は、レンズ鏡筒１１に結合させるための結合部１９Ｂを備える。なお、コイル３３と、ヨーク３４と、回転子３５とを配置した駆動部ベース３１の上に、地板１２Ａを配置させ、その上に駆動ピン３６が孔２７に挿通し、支点ピン３８が孔２６に挿通するように絞り羽根１３を配置させ、その上に地板１２Ｂを配置させ、その上に駆動部カバー３２を地板１２Ａ、１２Ｂの根本部を挟持して、凸部３９Ａを穴３９Ｂにはめ込んで固定すると、地板１２と、絞り羽根１３と、羽根駆動部１４とから構成される絞りユニット２０が組み立てられる。組み立てられた絞りユニット２０の地板１２の先２１が第１のスリット１７Ａから挿入され、第２のスリット１７Ｂに保持され、結合部１９Ｂが、図４に示す結合部１９Ａに結合されると、絞りユニット２０は、図６に示すように、レンズ鏡筒１１の側面に固定される。
【００２８】
図３に戻って、外枠１５は、レンズ鏡筒１１を光軸方向にスライドできるように保持する部材である。外枠１５は、直方体の形状を有し、背面には撮像部１０２側の面に光を導くための円形の穴が設けられ、正面は開放されている。また、上面は鏡筒駆動部１６が配置されるように開放されている。また、外枠１５とレンズ鏡筒１１とには、光軸方向にスライドするように、それぞれ摺動部６１、６２が設けられ、摺動部６１と摺動部６２との間にベアリング６３が配置されている。また、外枠１５の外には、開放された面を覆うためのカバー６４とケース６５が設けられている。
【００２９】
鏡筒駆動部１６は、外枠１５に対してレンズ鏡筒１１を光軸方向に移動させるものである。鏡筒駆動部１６は、マグネット５１と、駆動コイル５２と、ホールセンサ５３と、から構成される。マグネット５１は、磁場の漏洩を防止する部材である防磁部材５４を介して、レンズ鏡筒１１の側面に固定されている。駆動コイル５２は、マグネット５１を移動させる磁界を発生させるものであり、外枠１５に固定されている。駆動コイル５２に電流が流れると磁界が発生し、発生した磁界によりマグネット５１が移動し、これに伴いレンズ鏡筒１１が光軸方向に移動する。ホールセンサ５３は、レンズ鏡筒１１が移動した距離を検知するセンサであり、駆動コイル５２の上に配置されている。防磁部材５５は、磁場の漏洩を防止する部材であり、ホールセンサ５３の上に配置されている。
【００３０】
板バネ１８Ａ、１８Ｂは、外枠１５から羽根駆動部１４のコイル３３に給電するための導電部であり、蛇行形状を有している。板バネ１８Ａ、１８Ｂは、図５に示すように、駆動部カバー３２の上に配置されている。電極４１Ａ、４１Ｂは、外枠１５に固定されて、外部の駆動回路に接続される部分である。また、板バネ１８Ａは、電極４２Ａ、固定部４５の部分で駆動部カバー３２に固定され、電極４１Ａと固定部４５との間は柔軟に撓るようになっている。また、板バネ１８Ｂは、電極４２Ｂの部分で駆動部カバー３２に固定され、電極４１Ｂと電極４２Ｂとの間は柔軟に撓るようになっている。また、電極４２Ａ、４２Ｂは、孔４３Ａ、４３Ｂに挿通された導電性のリード部４４Ａ、４４Ｂに電気的に接続されている。なお、リード部４４Ａ、４４Ｂは、コイル３３から延出したリード線に電気的に接続されている。
【００３１】
つぎに、本発明の実施の形態に係るカメラ１０１の動作を、図７に示すように、カメラ１０１がスマートフォン１０５に備えられた場合について説明する。なお、スマートフォン１０５は、カメラ１０１に加えて、操作部１０６と、制御部１０７と、を備える。
【００３２】
撮影モードを選択する操作を操作部１０６が受け付けると、カメラ１０１は、撮影の待機状態になり、レンズ１０４を透過し撮像部１０２に結像した被写体像のライブビュー画像を撮像し、スマートフォン１０５のディスプレイに表示する。
【００３３】
制御部１０７は、撮像しているライブビュー画像を基に、鏡筒駆動部１６の駆動コイル５２に電流を供給しレンズ鏡筒１１を光軸方向に駆動しながら焦点を合わせる。具体的には、カメラ１０１は、「ピントが合っている＝コントラストが最も高い」という原理に基づくコントラスト検出法により、ライブビュー画像を解析し、レンズ鏡筒１１を動かしながらライブビュー画像のコントラストが最も高くなるレンズ鏡筒１１の位置を探して、焦点を合わせる。
【００３４】
また、制御部１０７は、被写体像の明るさに応じて、または操作部１０６が受け付けた操作により、絞り羽根１３を開口部２２に進退させる。絞り羽根１３は、初期状態では、図８に示すように、退避させられている。制御部１０７は、絞りを絞った状態にする場合、コイル３３に順方向の電流を供給し、図９に示すように、回転子３５を時計方向へ回転させる。回転子３５が時計方向へ回転すると、絞り羽根１３は、駆動ピン３６によって反時計方向へ回転させられ、絞り用開口部２５が開口部２２の位置に移動する。これに対して、制御部１０７が絞りを絞った状態から退避させた状態にする場合、コイル３３に逆方向の電流が供給され、回転子３５は反時計方向へ回転させられ、駆動ピン３６によって、絞り羽根１３を時計方向へ回転させ、図８に示す退避した位置に戻す。
【００３５】
また、制御部１０７は、ライブビュー画像をディスプレイに表示した状態で、焦点を合わせ、絞り羽根１３を動作させる。この状態で、レリーズボタンが押される操作を操作部１０６が受け付けると、制御部１０７は、撮像素子にリセット信号を送り、蓄積されていた電荷が放電され、あらたな電荷の蓄積を開始することによって撮像を開始する。その後、所定の露光時間が経過すると、撮像素子に蓄積された電荷が、撮像情報としてスマートフォン１０５の記憶装置に転送される。その後、制御部１０７は、撮像の待機状態に戻り、ライブビュー画像を撮像し、このライブビュー画像をスマートフォン１０５のディスプレイに表示する。
【００３６】
以上のように、本実施の形態のカメラ１０１によれば、地板１２がレンズ１０４間に配置され、絞り羽根１３が地板１２の間の羽根室２３に設けられ、レンズ鏡筒１１の側面に羽根駆動部１４が設けられることで、レンズ１０４間に進退する羽根を備えることができる。また、地板１２が設けられるレンズ１０４間の間隔が地板１２および羽根室２３の厚みだけあれば、地板１２をレンズ１０４間に配置することができるため、カメラ１０１の光軸方向の長さを短縮することができる。また、レンズ鏡筒１１が外枠１５に光軸方向にスライドできるように設けられ、カメラ１０１が鏡筒駆動部１６を備えることで、カメラ１０１は、自動焦点機能を備えることができる。また、羽根駆動部１４と外枠１５とが板バネ１８で電気的に接続されるため、レンズ鏡筒１１が光軸方向にスライドするときの負荷を小さくできる。この結果、レンズ鏡筒１１がスムーズにスライドし、焦点を迅速に合わせることができる。また、板バネ１８は柔軟に撓るようになっているため、レンズ鏡筒１１の光軸が傾くことを防止できる。この結果、レンズ１０４の光軸が傾くことによる画質の劣化を防ぐことができる。
【００３７】
（変形例）
上述の実施の形態のカメラ１０１では、レンズ鏡筒１１と外枠１５とが、板バネ１８で電気的に結合される場合について説明した。本実施の形態のカメラ１０１は、レンズ鏡筒１１と外枠１５とを電気的に接続する部材は、電気的に接続できるものであれば特に限定されず、例えば、図１０（Ａ）に示すように、線状（針金状）の金属のバネであるサスペンションワイヤ７１でもよく、この場合狭い空間に電気的に接続する部材を配置できる。また、図１０（Ｂ）に示すように、金属を円柱状の螺旋に巻いたコイルバネ７２でもよく、この場合、ばね定数をより小さくできる。また、図１０（Ｃ）に示すように、平板状の導体を絶縁体で被覆したＦＦＣ（Flexible Flat Cable）などのＦＰＣ（Flexible Printed Circuits）７３でもよく、この場合、バネを用いた場合に比べて絶縁を高めることができる。
【００３８】
上述の実施の形態のカメラ１０１では、絞り羽根１３をレンズ１０４の間に進退させる例について説明したが、絞り羽根１３を、光の透過を遮る遮光羽根（シャッタ羽根）に置き換えてもよい。この場合、制御部１０７は、撮影の待機状態では、シャッタ羽根を退避させ、被写体像のライブビュー画像を撮像し、ライブビュー画像をスマートフォン１０５のディスプレイに表示する。撮影に際してレリーズボタンが押されると、撮像素子にリセット信号を送り、蓄積されていた電荷が放電され、あらたな電荷の蓄積を開始することによって撮影を開始する。その後、所定の露光時間が経過すると、シャッタ羽根が閉じられ、撮像素子に蓄積された電荷が、撮像情報としてスマートフォン１０５の記憶装置に転送される。その後、カメラ１０１は、シャッタ羽根を退避させ、撮影の待機状態に戻る。カメラ１０１は、シャッタ羽根を備えることで、シャッタ羽根を閉じた状態で、撮像素子に蓄積された電荷を記憶装置に転送できるため、画像のノイズを低減できる。
【００３９】
また、絞り羽根１３は、例えば、ＮＤフィルタ、ＩＲ（Infrared）透過フィルタ、ＩＲカットフィルタなどの光学フィルタに置き換えられてもよい。ＮＤフィルタを用いた場合では、被写体が明るすぎる場合に光量を削減することができる。ＩＲ透過フィルタを用いた場合には、赤外線の写真を撮像することができる。ＩＲカットフィルタを用いた場合には、赤外線を除去した写真を撮像することができる。
【００４０】
上述の実施の形態のカメラ１０１は、スマートフォンに備えられた場合について説明したが、カメラ１０１は、例えばスマートフォン以外の電子機器（例えば、タブレットＰＣなどの携帯端末、ノートＰＣやデスクトップＰＣなどのパーソナルコンピュータ、腕時計型端末などのウェアラブル端末、携帯型ゲーム機器）にも備えられてもよい。
【００４１】
また、上述の実施の形態のカメラ１０１は、１枚の絞り羽根１３が備えられる場合について説明したが、２枚以上の絞り羽根１３を備えてもよく、また、絞り羽根１３に加えてシャッタ羽根、光学フィルタを備えてもよい。このようにすることで、さらにカメラ１０１で撮像する画像の質が向上する。
【００４２】
また、上述の実施の形態では、鏡筒駆動部１６は、光軸方向から見て、羽根駆動部１４から光軸への垂線と、鏡筒駆動部１６から光軸への垂線と、の為す角が１８０°になるように配置されていが、羽根駆動部１４から光軸への垂線と、鏡筒駆動部１６から光軸への垂線と、の為す狭角は、９０°以上１８０°未満であってもよい。このようにすることで、レンズユニット１０３の外形に合わせた設計が可能となる。
【００４３】
本発明は、本発明の広義の精神と範囲を逸脱することなく、様々な実施の形態及び変形が可能とされるものである。上述した実施の形態は、本発明を説明するためのものであり、本発明の範囲を限定するものではない。
【産業上の利用可能性】
【００４４】
本発明は、例えば電子機器（例えば、スマートフォンやタブレットＰＣなどの携帯端末、ノートパソコンやデスクトップのパソコンなどのパーソナルコンピュータ）のカメラに備えられるレンズユニットとして、好適に利用され得る。
【符号の説明】
【００４５】
１１  レンズ鏡筒
１２、１２Ａ、１２Ｂ  地板
１３  絞り羽根
１４  羽根駆動部
１５  外枠
１６  鏡筒駆動部
１７Ａ  第１のスリット
１７Ｂ  第２のスリット
１８、１８Ａ、１８Ｂ  板バネ
１９Ａ、１９Ｂ  結合部
２０  絞りユニット
２１  先
２２、２２Ａ、２２Ｂ  開口部
２３  羽根室
２４  スペーサー
２５  絞り用開口部
２６、２７  孔
３１  駆動部ベース
３２  駆動部カバー
３３  コイル
３４  ヨーク
３５  回転子
３６  駆動ピン
３７  回転ピン
３８  支点ピン
３９Ａ  凸部
３９Ｂ  穴
４１Ａ、４１Ｂ、４２Ａ、４２Ｂ  電極
４３Ａ、４３Ｂ  孔
４４Ａ、４４Ｂ  リード部
４５  固定部
５１  マグネット
５２  駆動コイル
５３  ホールセンサ
５４、５５  防磁部材
６１、６２  摺動部
６３  ベアリング
６４  カバー
６５  ケース
７１  サスペンションワイヤ
７２  コイルバネ
７３  ＦＰＣ
１０１  カメラ
１０２  撮像部
１０３  レンズユニット
１０４  レンズ
１０５  スマートフォン
１０６  操作部
１０７  制御部
【図１】
0006605255.tif 000002
【図２】
0006605255.tif 000003
【図３】
0006605255.tif 000004
【図４】
0006605255.tif 000005
【図５】
0006605255.tif 000006
【図６】
0006605255.tif 000007
【図７】
0006605255.tif 000008
【図８】
0006605255.tif 000009
【図９】
0006605255.tif 000010
【図１０】
0006605255.tif 000011